(57)【要約】【課題】透過モード時に、表示が明るく、高コントラストであり、視野角依存性の少ない半透過反射型液晶表示装置を提供する。【解決手段】本発明の液晶表示装置は、下基板上に半透過反射層を有し、層圧調整層により、透過表示部と反射表示部の液晶層厚を異ならせてある液晶セル４の上側に、偏光板１を配置し、偏光板１と液晶セル４の間に一軸延伸した位相差フィルム２を配置し、位相差フィルム２と液晶セル４の間にネマチックハイブリッド配向を固定化した液晶フィルム３を配置した。また、液晶セル４の下側には偏光板７を配置し、偏光板７と液晶セル４の間に一軸延伸した位相差フィルム６を配置し、位相差フィルム６と液晶セル４の間にネマチックハイブリッド配向を固定化した液晶フィルム５を配置した。【選択図】図１
2006243764.tif 000002
【特許請求の範囲】
【請求項１】
液晶層を挟むように設けられた第１の楕円偏光板及び第２の楕円偏光板を備えてなり、  前記第１の楕円偏光板及び前記第２の楕円偏光板のそれぞれは、直線偏光を透過させる偏光板、延伸フィルム、及びディスコチックハイブリッド配向を固定化した液晶フィルムを有してなることを特徴とする液晶表示装置。
【請求項２】
前記第１の楕円偏光板及び第２の楕円偏光板の液晶フィルムの進相軸と前記液晶層の明視方向を含む軸とのなす角度が、±３０度以内の範囲にあることを特徴とする請求項１に記載の液晶表示装置。
【請求項３】
前記液晶フィルムの面内位相差が、５８９ｎｍの光に対して９０ｎｍ〜１４０ｎｍであることを特徴とする請求項１又は請求項２に記載の液晶表示装置。
【請求項４】
前記液晶層がツイステッドネマチックモードであることを特徴とする請求項１乃至請求項３のいずれか一項に記載の液晶表示装置。
【請求項５】
前記液晶層が平行配向であることを特徴とする請求項１乃至請求項３のいずれか一項に記載の液晶表示装置。
【請求項６】
反射表示部と透過表示部とを備えてなり、前記反射表示部と前記透過表示部とで前記液晶層の厚みが異なることを特徴とする請求項１乃至請求項５のいずれか一項に記載の液晶表示装置。
【請求項７】
請求項１乃至請求項６のいずれか一項に記載の液晶表示装置を備えたことを特徴とする電子機器。
【発明の詳細な説明】
【技術分野】
【０００１】
本発明は、液晶表示装置、特に半透過反射型液晶表示装置に関するものである。
【背景技術】
【０００２】
液晶表示装置は透過モードで画像の表示が可能な透過型、反射モードで画像の表示が可能な反射型、透過モード、反射モードの双方で画像の表示が可能な半透過反射型の３種に大別され、その薄型軽量などの特徴からノートパソコン、テレビなどの表示装置として広く普及している。特に半透過反射型液晶表示装置は反射型と透過型を兼ね備えた表示方式が採用され、周囲の明るさに応じて、いずれかの表示方式に切り替えることにより、消費電力を低減しつつ、明所でも、暗所でも明瞭な表示を行うことができるので、種々の携帯電子機器などに多用されている。
【０００３】
このような半透過反射型液晶表示装置の形態として、アルミニウム等の金属膜に光透過用のスリット（開口部）を形成した反射層を下基板の液晶層側に備え、この反射層を半透過反射層として機能させる液晶表示装置が提案され、実用化されている。
【０００４】
図１１は、この種の半透過反射層を用いた半透過反射型液晶表示装置の一例を示している。
【０００５】
この液晶表示装置１００では、一対の透明基板１０１，１０２間に液晶層１０３が挟持されており、下基板１０１上に反射層１０４、絶縁膜１０６が積層され、その上にインジウム錫酸化物（Indium Tin Oxide，以下、ＩＴＯと略記する）等の透明導電膜からなる下側電極１０８が形成され、下側電極１０８を覆うように配向膜１０７が形成されている。一方、上基板１０２上には、Ｒ（赤）、Ｇ（緑）、Ｂ（青）の各色素層を有するカラーフィルタ１０９が形成され、その上に平坦化膜１１１が積層され、この平坦化膜１１１上にＩＴＯ等の透明導電膜からなる上側電極１１２が形成されており、この上側電極１１２を覆うように配向膜１１３が形成されている。
【０００６】
反射層１０４は、アルミニウムなどの光反射率の高い金属膜で形成されており、この反射層１０４には、各画素毎に光透過用のスリット１１０が形成されている。このスリット１１０により、反射層１０４は半透過反射層として機能する（よって、以下、この層のことを半透過反射層と呼ぶ）。また、上基板１０２の外面側には、上基板１０２側から順に前方散乱板１１８、位相差フィルム１１９、上偏光板１１４が配置され、下基板１０１の外面側には、位相差フィルム１１５、下偏光板１１６がこの順に設けられている。また、バックライト１１７（照明装置）が下基板１０１の下面側、下偏光板１１６のさらに下方に配置されている。
【０００７】
図１１に示す液晶表示装置１００を明るい場所で反射モードで使用する際には、上基板１０２の上方から入射する太陽光、照明光などの外光が、液晶層１０３を透過して下基板１０１上の半透過反射層１０４の表面で反射した後、再度液晶層１０３を透過し、上基板１０２側に出射される。また、暗い場所で透過モードで使用する際には、下基板１０１の下方に設置したバックライト１１７から出射される光が、スリット１１０の部分で半透過反射層１０４を透過し、その後、液晶層１０３を透過して上基板１０２側に出射される。これらの光が各モードでの表示に寄与することになる。
【０００８】
ところで、透過型、反射型および半透過反射型液晶表示装置は特に透過モードにおいて、液晶分子の持つ屈折率異方性のために斜めから見た時に表示コントラストが低下する、表示色が変化する、あるいは階調が反転するなどの視野角の問題が避けられずその改善が望まれている。
【０００９】
この問題を解決させる方法として、従来、ＴＮモード（液晶のねじれ角９０度）を用いた透過型液晶表示装置では、光学補償フィルムを液晶セルと上下偏光板の間に配置する提案がなされ、実用化されている。
【００１０】
例えば、ディスコチック液晶をハイブリッド配向させた光学補償フィルムを液晶セルと上下偏光板の間に配置した構成、また液晶性高分子をネマチックハイブリッド配向させた光学補償フィルムを液晶セルと上下偏光板の間に配置した構成などが挙げられる（特許文献１、特許文献２、特許文献３参照）。
また半透過反射型液晶表示装置においては、透過モードにおいて、表示原理的に１枚または複数枚の延伸フィルムと偏光板からなる円偏光板を、液晶セルの上側と、半透過反射層とバックライトの間に配置させる必要がある。
【００１１】
この半透過反射型液晶表示装置の透過モードの視野角拡大には半透過反射層とバックライトの間に配置された円偏光板にネマチックハイブリッド配向させた光学補償フィルムを用いる方法が提案され、実用化されている（特許文献４参照）。
【００１２】
【特許文献１】特許第２６４００８３号公報
【特許文献２】特開平１１−１９４３２５号公報
【特許文献３】特開平１１−１９４３７１号公報
【特許文献４】特開２００２−３１７１７号公報
【発明の開示】
【発明が解決しようとする課題】
【００１３】
しかしながら、上記の方法を用いても、斜めから見た時に表示コントラストが低下する、表示色が変化する、あるいは階調が反転するなどの視野角の問題は解決していない。特に半透過反射型液晶表示装置においては、上記したように原理的に１枚または複数枚の延伸フィルムと偏光板からなる円偏光板を用いるため、視野角改善は本質的に難しい。
【００１４】
以上の問題点に鑑みて、本発明では、特に透過モード時に、表示が明るく、高コントラストであり、視野角依存性の少ない半透過反射型液晶表示装置を提供することを目的とする。また、本発明は、透過モード時に、表示が明るく、高コントラストであり、視野角依存性の少ない上記液晶表示装置を備えた電子機器を提供することを目的とする。
【課題を解決するための手段】
【００１５】
本発明は、液晶層を挟むように設けられた第１の楕円偏光板及び第２の楕円偏光板を備えてなり、前記第１の楕円偏光板及び前記第２の楕円偏光板のそれぞれは、直線偏光を透過させる偏光板、延伸フィルム、及びディスコチックハイブリッド配向を固定化した液晶フィルムを有してなることを特徴とする。
【００１６】
本発明は、前記第１の楕円偏光板及び第２の楕円偏光板の液晶フィルムの進相軸と前記液晶層の明視方向を含む軸とのなす角度が、±３０度以内の範囲にあることを特徴とする。
【００１７】
本発明は、前記液晶フィルムの面内位相差が、５８９ｎｍnmの光に対して９０ｎｍ〜１４０ｎｍであることを特徴とする。
【００１８】
本発明は、前記液晶層がツイステッドネマチックモードであることを特徴とする。
【００１９】
本発明は、前記液晶層が平行配向であることを特徴とする。
【００２０】
本発明は、反射表示部と透過表示部とを備えてなり、前記反射表示部と前記透過表示部とで前記液晶層の厚みが異なることを特徴とする。
【００２１】
本発明は、本発明の液晶表示装置を備えたことを特徴とする電子機器である。
【００２２】
上記課題を解決するために、本発明では互いに対向配置された上基板と下基板との間に液晶層が挟持され、前記下基板の前記液晶層側に半透過反射層が設けられた液晶セルを有する液晶表示装置において、前記液晶層に対して前記上基板側から楕円偏光を入射させる第１楕円偏光板と、前記下基板側から楕円偏光を入射させる第２楕円偏光板が備えられ、前記第１楕円偏光板および前記第２楕円偏光板がハイブリッド配向を固定化した液晶フィルムを有することを特徴とする。
【００２３】
本発明の液晶表示装置では、液晶セルの上側および下側の楕円偏光板に少なくとも１枚のハイブリッド配向を固定化した液晶フィルムを用いている。このため、液晶セルの上側および下側のハイブリッド配向を固定化した液晶フィルムにより、液晶セルの液晶分子の屈折率異方性を補償することができ、透過モードの視野角特性に優れた液晶表示装置を提供することができる。
【００２４】
本発明において、前記第１楕円偏光板および、前記第２楕円偏光板が、直線偏光を透過する偏光板と、少なくとも１枚のネマチックハイブリッド配向を固定化した液晶フィルムと、少なくとも１枚の延伸フィルムとからなることが好ましい。
【００２５】
第１楕円偏光板および、第２楕円偏光板を、偏光板と少なくとも１枚のネマチックハイブリッド配向を固定化した液晶フィルムと少なくとも１枚の延伸フィルムとから構成することで広帯域な楕円偏光板とすることができ、より高コントラストな液晶表示装置を実現することができる。
【００２６】
なお、用いる延伸フィルムに制限はなく、一軸延伸フィルム、二軸延伸フィルム等公知の延伸フィルムが使用できる。
【００２７】
本発明において、前記第１楕円偏光板および、前記第２楕円偏光板の前記ネマチックハイブリッド配向を固定化した液晶フィルムの進相軸と前記液晶層の明視方向を含む軸とのなす角度が通常±３０度以内、好ましくは±１０度以内、さらに好ましくは±５度以内である。この範囲内であれば、液晶セルの液晶分子の屈折率異方性をネマチックハイブリッド配向を固定化した液晶フィルムによって補償することができ、良好な視野角特性を有す液晶表示装置を実現することができる。また、液晶表示装置を斜め方向から観察したとき、透過表示の階調反転する範囲を小さくすることができる。
【００２８】
なお、ここでいう明視方向とは、前記液晶層の略中心における液晶分子のダイレクターの方位角方向を指す。
【００２９】
本発明において、前記第１楕円偏光板および、前記第２楕円偏光板の前記ネマチックハイブリッド配向を固定化した液晶フィルムの面内位相差は、液晶表示装置の光学パラメーターに依存することから一概には言えないが、５８９ｎｍの単色光に対して、９０〜１４０ｎｍの範囲にあることが好ましい。
【００３０】
通常、略λ／４の延伸フィルムと略λ／２の延伸フィルムとで広帯域楕円偏光板を構成するが、ネマチックハイブリッド配向を固定化した液晶フィルムの面内位相差がこの範囲内であれば、略λ／２の延伸フィルムとネマチックハイブリッド配向を固定化した液晶フィルムとで広帯域楕円偏光板を構成することが可能である。
【００３１】
本発明において、前記第１楕円偏光板および、前記第２楕円偏光板を、前記偏光板と、少なくとも１枚のディスコチックハイブリッド配向を固定化した液晶フィルムと、少なくとも１枚の前記延伸フィルムとから構成しても広帯域な楕円偏光板が実現でき、高コントラストな液晶表示装置を実現できる。
【００３２】
なお、用いる延伸フィルムに制限はなく、一軸延伸フィルム、二軸延伸フィルム等公知の延伸フィルムが使用できる。
【００３３】
本発明において、前記第１楕円偏光板および前記第２楕円偏光板の前記ディスコチックハイブリッド配向を固定化した液晶フィルムの進相軸と前記液晶層の明視方向を含む軸とのなす角度が通常±３０度以内、好ましくは±１０度以内、さらに好ましくは±５度以内である。この範囲内であれば、液晶セルの液晶分子の屈折率異方性をディスコチックハイブリッド配向を固定化した液晶フィルムによって補償することができ、良好な視野角特性を有す液晶表示装置を実現することができる。液晶表示装置を斜め方向から観察したとき、透過表示の階調反転する範囲を小さくすることができる。
【００３４】
なお、ここでいう明視方向とは、前記液晶層の略中心における液晶分子のダイレクターの方位角方向を指す。
【００３５】
本発明において、前記第１楕円偏光板を前記偏光板と、少なくとも１枚の前記ネマチックハイブリッド配向を固定化した液晶フィルムと、少なくとも１枚の前記延伸フィルムとから構成し、前記第２楕円偏光板を、前記偏光板と、少なくとも１枚の前記ディスコチックハイブリッド配向を固定化した液晶フィルムと、少なくとも１枚の前記延伸フィルムとから構成しても高コントラストな液晶表示装置を実現できる。
【００３６】
なお、用いる延伸フィルムに制限はなく、一軸延伸フィルム、二軸延伸フィルム等公知の延伸フィルムが使用できる。
【００３７】
本発明において、前記第１楕円偏光板の前記ネマチックハイブリッド配向を固定化した液晶フィルムの遅相軸と前記液晶層の明視方向を含む軸とのなす角度および、前記第２楕円偏光板の前記ディスコチックハイブリッド配向を固定化した液晶フィルムの進相軸と前記液晶層の明視方向を含む軸とのなす角度が通常±３０度以内、好ましくは±１０度以内、さらに好ましくは±５度以内である。この範囲内であれば液晶セルの液晶分子の屈折率異方性を液晶フィルムによって補償することができ、良好な視野角特性を有す液晶表示装置を実現することができる。液晶表示装置を斜め方向から観察したとき、透過表示の階調反転する範囲を小さくすることができる。
【００３８】
なお、ここでいう明視方向とは、前記液晶層の略中心における液晶分子のダイレクターの方位角方向を指す。
【００３９】
本発明において、前記第１楕円偏光板の前記ネマチックハイブリッド配向を固定化した液晶フィルムの面内位相差は、液晶表示装置の光学パラメーターに依存することから一概には言えないが、５８９ｎｍの単色光に対して、９０〜１４０ｎｍの範囲にあることが好ましい。
【００４０】
通常、略λ／４の延伸フィルムと略λ／２の延伸フィルムとで広帯域楕円偏光板を構成するが、ネマチックハイブリッド配向を固定化した液晶フィルムの面内位相差がこの範囲内であれば、略λ／２の延伸フィルムとネマチックハイブリッド配向を固定化した液晶フィルムとで広帯域楕円偏光板を構成することが可能である。
【００４１】
本発明において、前記第１楕円偏光板を前記偏光板と、少なくとも１枚の前記ディスコチックハイブリッド配向を固定化した液晶フィルムと、少なくとも１枚の前記延伸フィルムとから構成し、前記第２楕円偏光板を、前記偏光板と、少なくとも１枚の前記ネマチックハイブリッド配向を固定化した液晶フィルムと、少なくとも１枚の前記延伸フィルムとから構成しても高コントラストな液晶表示装置を実現できる。
【００４２】
なお、用いる延伸フィルムに制限はなく、一軸延伸フィルム、二軸延伸フィルム等公知の延伸フィルムが使用できる。
【００４３】
本発明において、前記第１楕円偏光板の前記ディスコチックハイブリッド配向を固定化した液晶フィルムの進相軸と前記液晶層の明視方向を含む軸とのなす角度および、前記第２楕円偏光板の前記ネマチックハイブリッド配向を固定化した液晶フィルムの遅相軸と前記液晶層の明視方向を含む軸とのなす角度が通常±３０度以内、好ましくは±１０度以内、さらに好ましくは±５度以内である。この範囲内であれば、液晶セルの液晶分子の屈折率異方性を液晶フィルムによって補償することができ、良好な視野角特性を有す液晶表示装置を実現することができる。
【００４４】
なお、ここでいう明視方向とは、前記液晶層の略中心における液晶分子のダイレクターの方位角方向を指す。
【００４５】
本発明において、前記第２楕円偏光板の前記ネマチックハイブリッド配向を固定化した液晶フィルムの面内位相差は、液晶表示装置の光学パラメーターに依存することから一概には言えないが、５８９ｎｍの単色光に対して、９０〜１４０ｎｍの範囲にあることが好ましい。
【００４６】
通常、略λ／４の延伸フィルムと略λ／２の延伸フィルムとで広帯域楕円偏光板を構成するが、ネマチックハイブリッド配向を固定化した液晶フィルムの面内位相差がこの範囲内であれば、略λ／２の延伸フィルムとネマチックハイブリッド配向を固定化した液晶フィルムとで広帯域楕円偏光板を構成することが可能である。
【００４７】
本発明において前記液晶セルが反射表示領域における前記液晶層の層厚を透過表示領域における前記液晶層の層厚よりも小さくする層厚調整層を有することが望ましい。
【００４８】
半透過反射型液晶表示装置において、透過表示光は、液晶層を一度だけ通過して出射されるのに対して、反射表示光は、液晶層を２度通過することになるため、透過表示光および反射表示光の双方において、リターデーション△ｎ・ｄを最適化することは困難である。そこで反射表示領域と透過表示領域の液晶層厚を異ならせる層圧調整層を設けることにより、反射表示光、透過表示光の双方においてリタデーション△ｎ・ｄを最適化することができ、明るい反射表示及び透過表示が実現できる。
【００４９】
このような構成はマルチギャップタイプと称せられ、例えば、図１２に示すように、ＩＴＯ等の透明導電膜からなる下側電極１０８の下層側、かつ、半透過反射層１０４の上層側に、層厚調整層１２０を形成することによって実現できる。すなわち、スリット１１０に対応する透過表示領域では、反射表示領域と比較して、層厚調整層１２０の膜厚分だけ、液晶層１０３の層厚が大きいので、透過表示光および反射表示光の双方に対してリタデーション△ｎ・ｄを最適化することが可能である。ここで、層厚調整層１２０で液晶層１０３の層厚を調整するには、層厚調整層１２０を分厚く形成する必要があり、このような分厚い層の形成には感光性樹脂などが用いられる。なお、図１２は基本的な構成が図１１と共通するので、共通する機能を有する部分には同一の符合を付している。
【００５０】
本発明において、前記液晶層はツイステッドネマチックモードを用いることができる。液晶層のねじれ角としては、１０度以上５０度以下が透過表示の明るさの点から好ましい。
【００５１】
本発明において、前記液晶層は平行配向かつねじれ角が０度であることが好ましい。液晶層が平行配向かつねじれ角が０度であると、マルチギャップタイプの液晶表示装置において、反射の明るさを犠牲にせずに透過の明るさを最大とすることができる。
【００５２】
本発明を適用した液晶表示装置は、携帯電話機、モバイルコンピュータといった電子機器の表示装置として用いることができる。
【発明を実施するための最良の形態】
【００５３】
図面を参照して、本発明の実施の形態を説明する。なお、本実施例におけるリタデーション△ｎ・ｄは断りのない限り５８９ｎｍにおける値であり、軸角度は液晶セル上側から見て基準となる軸から左回りを正とする。
【００５４】
（実施の形態）
図１は本実施の形態の液晶表示装置の概略図を示したものである。液晶セル４は、液晶セル４の下基板上に半透過反射層を有し、層圧調整層により、透過表示部と反射表示部の液晶層厚を異ならせてある。セルパラメータは透過表示部△ｎ・ｄ０．３２μｍ、反射表示部△ｎ・ｄ０．１４μｍ、液晶は平行配向かつねじれ角０度である。液晶セル４の上側には偏光板１を配置し、偏光板１と液晶セル４の間に一軸延伸した位相差フィルム２を配置し、位相差フィルム２と液晶セル４の間にネマチックハイブリッド配向を固定化した液晶フィルム３を配置した。このとき、液晶セル４の上基板ラビング軸４１を基準として、ラビング軸４１と偏光板１の透過軸１１との角度をθ１、位相差フィルム２の遅相軸２１との角度をθ２、液晶フィルム３の遅相軸３１との角度をθ３とすると、θ１＝４度、θ２＝１１５度、θ３＝０度、である。また位相差フィルム２の△ｎ・ｄは略０．２５μｍ、液晶フィルム３の△ｎ・ｄは略０．０９μｍである。
【００５５】
なお、ここで言う液晶フィルムの△ｎ・ｄとは液晶フィルムの法線方向から見た場合の面内の△ｎ・ｄである。
【００５６】
また、液晶セル４の下側には偏光板７を配置し、偏光板７と液晶セル４の間に位相差フィルム６を配置し、位相差フィルム６と液晶セル４の間にネマチックハイブリッド配向を固定化した液晶フィルム５を配置した。このとき、液晶セル４の上基板ラビング軸４１を基準として、ラビング軸４１と偏光板７の透過軸７１との角度をθ７、位相差フィルム６の遅相軸６１との角度をθ６、液晶フィルム５の遅相軸５１との角度をθ５とすると、θ５＝０度、θ６＝６６度、θ７＝８８度である。また位相差フィルム６の△ｎ・ｄは略０．２６μｍ、液晶フィルム５の△ｎ・ｄは略０．０９μｍである。
【００５７】
ここで用いた液晶フィルム３と液晶フィルム５はネマチックハイブリッド配向を固定化したものであることから、そのチルト方向、及びフィルムの上下を液晶セル４に対しどのように配置するかで表示性能が異なってくる。本実施例ではそれらを限定しないが、表示性能等を考慮して配置を決定することが望ましい。
【００５８】
図２は本実施例における液晶表示装置の透過モードの印加電圧に対する透過率を示している。図３は透過モードにおける白表示０Ｖ、黒表示４．３Ｖとしたときの全方位からのコントラスト比を示している。図４は透過モードにおける白表示０Ｖから黒表示４．３Ｖまでを８階調表示した際の液晶セルのラビング軸方位の透過率の視野角特性を示している。
【００５９】
（比較例）
本実施例の構成において、液晶フィルム３を一軸延伸した位相差フィルム（△ｎ・ｄ略０．１１μｍ）に置き換え、位相差フィルム２の△ｎ・ｄは略０．２８μｍ、液晶フィルム５の△ｎ・ｄは略０．０９μｍ、位相差フィルム６の△ｎ・ｄは略０．２８μｍとした。またθ１＝１５度、θ２＝１２０度、θ３＝０度、θ５＝０度、θ６＝６５度、θ７＝８５度とした。図５は変更後の液晶表示装置の透過モードの印加電圧に対する透過率を示している。図６は透過モードにおける白表示０Ｖ、黒表示４．３Ｖとしたときの全方位からのコントラスト比を示している。図７は透過モードにおける白表示０Ｖから黒表示４．３Ｖまでを８階調表示した際の液晶セルのラビング軸方位の透過率の視野角特性を示している。
【００６０】
これらの特性を比較すると、本実施の形態のように、液晶セルの上側および下側の楕円偏光板にネマチックハイブリッド配向を固定化させた液晶フィルムを用いた方が、良好な視野角特性を有すことがわかる。
【００６１】
本実施例においては、上側および下側の楕円偏光板に用いる液晶フィルムとして、ネマチックハイブリッド配向を固定化した液晶フィルムを用いたが、ディスコチックハイブリッド配向を固定化した液晶フィルムを用いても同様な効果が得られる。また、ネマチックハイブリッド配向を固定化した液晶フィルムとディスコチックハイブリッド配向を固定化した液晶フィルムを組み合わせて上側および下側の楕円偏光板を構成した場合にも同様な効果が得られる。
【００６２】
（液晶表示装置の電子機器への適用）
このように構成した液晶表示装置は、各種の電子機器の表示部として用いることができるが、その一例を、図８、図９、および図１０を参照して説明する。
【００６３】
図８は、携帯電話の一例を示した斜視図である。図８において、符号１０００は携帯電話本体を示し、符号１００１は上記の液晶表示装置を用いた液晶表示部を示している。
【００６４】
図９は、腕時計型電子機器の一例を示した斜視図である。図９において、符号１１００は時計本体を示し、符号１１０１は上記の液晶表示装置を用いた液晶表示部を示している。
【００６５】
図１０は、ワープロ、パソコンなどの携帯型情報処理装置の一例を示した斜視図である。図１０において、符号１２００は情報処理装置、符号１２０２はキーボードなどの入力部、符号１２０４は情報処理装置本体、符号１２０６は上記の液晶表示装置を用いた液晶表示部を示している。
【００６６】
図８〜図１０に示す電子機器は、上記実施の形態の液晶表示装置を用いた液晶表示部を備えているので、視野角特性の良好な液晶表示部を備えた電子機器を実現することができる。
【００６７】
以上述べた通り、本発明に係る液晶表示装置では上側楕円偏光板および下側楕円偏光板にハイブリッド配向を固定化した液晶フィルムを用いている。このため、液晶セルの上側および下側のハイブリッド配向を固定化した液晶フィルムにより、液晶セルの液晶分子の屈折率異方性を補償することができる。従って、特に透過モードにおいて、斜めから見た時に表示コントラストが低下する、表示色が変化する、あるいは階調が反転するなどの視野角の問題を改善することができる。また、表示が明るく、高コントラストな液晶表示装置を実現できる。
【図面の簡単な説明】
【００６８】
【図１】本実施の形態の液晶表示装置を模式的に示す図である。
【図２】本実施の形態の液晶表示装置の電圧変化に対する透過率を示す図である。
【図３】本実施の形態の液晶表示装置を全方位から見たときのコントラスト比を示す図である。
【図４】本実施の形態の液晶表示装置を８階調表示した際のラビング軸方位の透過率の視野角特性を示す図である。
【図５】比較例の液晶表示装置の電圧変化に対する透過率を示す図である。
【図６】比較例の液晶表示装置を全方位から見たときのコントラスト比を示す図である。
【図７】比較例の液晶表示装置を８階調表示した際のラビング軸方位の透過率の視野角特性を示す図である。
【図８】本発明に係る液晶表示装置を表示装置として用いた電子機器の例である。
【図９】本発明に係る液晶表示装置を表示装置として用いた電子機器のもう一つの例である。
【図１０】本発明に係る液晶表示装置を表示装置として用いた電子機器のさらにもう一つの例である。
【図１１】半透過反射型液晶表示装置の一例を示す断面図である。
【図１２】マルチギャップタイプの半透過反射型液晶表示装置の一例を示す断面図である。
【符号の説明】
【００６９】
１，７…偏光板、２，６…位相差フィルム、３…ネマチックハイブリッド配向を固定化した液晶フィルム（または位相差フィルム）、４…液晶セル、５…ネマチックハイブリッド配向を固定化した液晶フィルム、１１…偏光板１の透過軸、２１…位相差フィルム２の遅相軸、３１…ネマチックハイブリッド配向を固定化した液晶フィルム３（または位相差フィルム３）の遅相軸、４１…液晶セル４の上基板ラビング軸、５１…ネマチックハイブリッド配向を固定化した液晶フィルム５の遅相軸、６１…位相差フィルム６の遅相軸、７１…偏光板７の透過軸。
【図１】
2006243764.tif 000003
【図２】
2006243764.tif 000004
【図３】
2006243764.tif 000005
【図４】
2006243764.tif 000006
【図５】
2006243764.tif 000007
【図６】
2006243764.tif 000008
【図７】
2006243764.tif 000009
【図８】
2006243764.tif 000010
【図９】
2006243764.tif 000011
【図１０】
2006243764.tif 000012
【図１１】
2006243764.tif 000013
【図１２】
2006243764.tif 000014